(57)【要約】【課題】建物の高さを極力抑えながらも上下階の双方に使い勝手のよい収納空間を備えた建物を提供する。【解決手段】特定床２の上側に設けられ、この特定床との間が収納空間５とされた中間床４上に、中間部屋１５が前記特定階１の直上にある直上階２１を構成する直上床２２の一部を貫通して前記直上階２１に突出するようにして設けられており、直上階２１の一部には、直上中間床２４が前記中間部屋１５の天井１５ａとほぼ高さが等しい位置に設けられ、この直上中間床２４と前記直上床２２との間が直上階収納空間２５とされているので、建物の高さを極力抑えながら、特定階と直上階に、つまり上下階の双方に使い勝手のよい収納空間を設けることができる。【選択図】図２
2006037709.tif 000002
【特許請求の範囲】
【請求項１】
特定階の一部に、中間床が前記特定階を構成する特定床の上側に設けられ、この中間床と前記特定床との間が収納空間とされた建物であって、
前記中間床上に、中間部屋が前記特定階の直上にある直上階を構成する直上床の一部を貫通して前記直上階に突出するようにして設けられており、
前記直上階の一部には、直上中間床が前記中間部屋の天井とほぼ高さが等しい位置に設けられ、この直上中間床と前記直上床との間が直上階収納空間とされていることを特徴とする建物。
【請求項２】
請求項１に記載の建物において、
前記特定床と前記直上床との間に設けられた階段の途中にある踊り場が、前記中間床とほぼ等しい高さに位置し、かつ、該中間床と隣接しており、
前記直上中間床と、前記中間部屋の天井の位置に設けられた天井床と、前記直上床と直上中間床との間に設けられた階段の上側の踊り場とがほぼ等しい高さに位置しており、
前記直上中間床と天井床との少なくとも一方の床上には、部屋、小屋裏収納、ルーフバルコニーのうちの少なくとも１つが設けられていることを特徴とする建物。
【請求項３】
請求項２に記載の建物において、
前記直上中間床が離間して複数設けられており、これら直上中間床は、それぞれ前記中間部屋の天井の位置に設けられた天井床と段差なしで連続しており、前記直上床と直上中間床との間に設けられた階段の上側の踊り場は、前記直上中間床と天井床との少なくともいずれか一方に段差なしで連続していることを特徴とする建物。
【請求項４】
請求項１〜３のいずれか一項に記載の建物において、
前記特定床上には、前記直上床の一部を貫通して、前記直上中間床下まで吹き抜ける吹抜け空間が設けられていることを特徴とする建物。
【請求項５】
請求項３または４に記載の建物において、
前記直上中間床と天井床と上側の踊り場とで構成された床上には、複数の部屋が設けられていることを特徴とする建物。
【請求項６】
請求項２〜５のいずれか一項に記載の建物において、
前記階段が設けられている階段室と、前記収納空間とが隣接配置されており、前記特定床上にある部屋は、前記階段室および収納空間に接するように配置されていることを特徴とする建物。
【請求項７】
請求項６に記載の建物において、
前記階段室と前記収納空間とは、建物の外壁に接しており、前記特定床上にある部屋は、前記階段室と収納空間を略凹字状に囲むように配置され、
前記直上階には、平面視において前記階段室および中間部屋を挟むようにして、前記直上階収納空間が配置されていることを特徴とする建物。
【請求項８】
請求項１〜７のいずれか一項に記載の建物において、
前記直上中間床と天井床との少なくとも一方の床上に、部屋が設けられている場合に、
この部屋の上部は小屋裏に突出しており、この小屋裏の一部に収納所とルーフバルコニーのうちの少なくとも一方が設けられていることを特徴とする建物。
【請求項９】
請求項１〜８のいずれか一項に記載の建物において、
前記収納空間の一部が屋外から物を出し入れ可能な開口部を有する屋外開口型収納庫となっており、この屋外開口型収納庫の床は前記特定床より低くなっていることを特徴とする建物。
【発明の詳細な説明】
【技術分野】
【０００１】
本発明は、建物に係り、特に中間床を設け、この中間床の下方に収納空間を設けたものに関する。
【背景技術】
【０００２】
従来より、建物の床下や天井裏を収納庫として利用するようにした建物が利用されている。このような収納庫を形成した建物とすれば、通常使用されていない天井裏や床下の空間を有効利用することが可能となり、建物内部の空間の利用率を向上することができる。
このような収納庫を備えた建物として特許文献１に記載のものが知られている。この特許文献１に記載の建物では、上下階間に収納庫を備えており、この収納庫の上面には建物の上階から出入り可能な上階用開口部が形成されているとともに、その下面には前記建物の下階から出入り可能な下階用開口部が形成され、これらの上階用開口部および下階用開口部の平面位置が互いに異なるようにしてある。
このような建物では、下階用開口部および上階用開口部の平面位置が互いに異なっているので、それぞれの開口部を利用して上階用の収納庫と下階用の収納庫との区分けが容易になるという利点がある。
【特許文献１】特開平１０−２０５１５０号公報
【発明の開示】
【発明が解決しようとする課題】
【０００３】
ところで、都市等の住宅密集地では、隣接する住宅への採光、通風をできるだけ確保できるように配慮するため、建物の高さは極力低く抑えたいという要望があるが、上記のような建物では、上下階の間に収納庫を備えているので、収納庫の高さ分、建物が高くなるという問題がある。
また、収納庫にはその上面および下面からそれぞれ出入りするようになっているので、梯子等が必要となり、使い勝手があまりよくないという問題もある。
【０００４】
本発明は上記事情に鑑みてなされたものであり、建物の高さを極力抑えながらも上下階の双方に、さらに平面的にも複数個の使い勝手のよい収納空間を備えた建物を提供することを課題としている。
【課題を解決するための手段】
【０００５】
上記課題を解決するために、請求項１に記載の発明は、例えば図１〜図１３に示すように、特定階１の一部に、中間床４が前記特定階１を構成する特定床２の上側に設けられ、この中間床４と前記特定床２との間が収納空間５とされた建物であって、
前記中間床４上に、中間部屋１５が前記特定階１の直上にある直上階２１を構成する直上床２２の一部を貫通して前記直上階２１に突出するようにして設けられており、
前記直上階２１の一部には、直上中間床２４が前記中間部屋１５の天井１５ａとほぼ高さが等しい位置に設けられ、この直上中間床２４と前記直上床２２との間が直上階収納空間２５とされていることを特徴とする。
【０００６】
ここで、特定階とは、建物の所定の階を意味し、例えば、１階、２階、３階等の所定の階は勿論のこと、地下にある地下１階、２階等の所定の階も意味する。そして、特定床は特定階を構成する床であり、特定階が１階であれば１階床、２階であれば２階床である。
中間床は特定床の上側でかつ特定階に設けられる床であり、この中間床と特定床の間が収納空間とされる。中間床は、収納空間の高さが０．９ｍ〜１．４ｍ程度となるように、特定床の上方に設けられるのが望ましい。
直上階とは、前記特定階より１階上の階であり、例えば特定階が１階である場合、直上階は２階である。直上中間床は直上階を構成する直上床の上側でかつ直上階に設けられる床であり、この直上中間床と直上床との間が直上階収納空間とされる。直上中間床は、直上階収納空間の高さが０．９ｍ〜１．４ｍ程度となるように、直上床の上方に設けられるのが望ましい。
また、特定床の床面と収納空間の床面とは、段差がなくほぼ面一であることが望ましく、同様に、直上床の床面と直上階収納空間の床面とは、段差がなくほぼ面一であることが望ましい。このようにすれば、特定床や直上床上にある居間等から大人が腰を若干屈めた状態で、平行移動することによって、収納空間や直上階収納空間に容易に出入りできる。
さらに、特定床が１階、直上階が２階の建物の場合、該建物の高さは、２階または２．５階分の高さであるのが望ましい。２．５階分の高さとすれば、直上中間床上に天井高を確保しつつ部屋を設けることができる。また、都市型の建物の場合、各階の面積は４５〜５５ｍ2 に設定し、各階には主な部屋を３室以内とするのが望ましい。
【０００７】
請求項１に記載の発明によれば、中間床４と特定床２との間が収納空間５とされているので、この収納空間５に特定床２から容易に出入りできる、つまり収納空間５の使い勝手がよい。そして中間床４上に、中間部屋１５が特定階１の直上にある直上階２１を構成する直上床２２の一部を貫通して直上階２１に突出するようにして設けられているので、中間部屋１５の天井高を十分に確保できるとともに、建物自体の高さが高くなるのを抑えることができる。さらに、直上階２１の一部には、直上中間床２４が中間部屋１５の天井１５ａとほぼ高さが等しい位置に設けられ、この直上中間床２４と前記直上床２２との間が直上階収納空間２５とされているので、この直上階収納空間２５に直上床２２から容易に出入りできる、つまり直上階収納空間２５の使い勝手がよい。
したがって、建物の高さを極力抑えながら、特定階１と直上階２１に、つまり上下階の双方に使い勝手のよい収納空間５や直上階収納空間２５を設けることができる。
【０００８】
請求項２に記載の発明は、請求項１に記載の建物において、
前記特定床２と前記直上床２２との間に設けられた階段２７の途中にある踊り場２７ａが、前記中間床２とほぼ等しい高さに位置し、かつ、該中間床２と隣接しており、
前記直上中間床２４と、前記中間部屋１５の天井の位置に設けられた天井床１５ｂと、前記直上床２２と直上中間床２４との間に設けられた階段２８の上側の踊り場２８ａとがほぼ等しい高さに位置しており、
前記直上中間床２４と天井床１５ｂとの少なくとも一方の床上には、部屋、小屋裏収納、ルーフバルコニーのうちの少なくとも１つが設けられていることを特徴とする。
【０００９】
ここで、直上中間床２４と天井床１５ｂとの少なくとも一方の床上に部屋を設ける場合、この部屋は小屋裏まで突出するようにして設けるのが望ましい。また、このようにして部屋を設けた場合、小屋裏の一部を小屋裏収納や、ルーフバルコニーとしてもよい。
また、直上中間床２４と天井床１５ｂとの少なくとも一方の床上に小屋裏収納やルーフバルコニーを設ける場合、その屋根の高さを直上床上にある部屋上にある屋根より低くすることができる。
【００１０】
請求項２に記載の発明によれば、特定床２と直上床２２との間に設けられた階段２７の途中にある踊り場２７ａが、中間床４とほぼ等しい高さに位置し、かつ、該中間床４と隣接しているので、中間床４に至る階段を別途設けることなく、この踊り場２７ａから中間部屋１５に容易に出入りできる。
また、直上中間床２４と天井床１５ｂとの少なくとも一方の床上には、部屋、小屋裏収納、ルーフバルコニーのうちの少なくとも１つが設けられているので、直上中間床２４および天井床１５ｂが直上床２２より高くても、直上中間床２４および天井床１５ｂを有効利用できる。
【００１１】
請求項３に記載の発明は、請求項２に記載の建物において、
前記直上中間床２４，２４が離間して複数設けられており、これら直上中間床２４，２４は、それぞれ前記中間部屋１５の天井の位置に設けられた天井床１５ｂと段差なしで連続しており、前記直上床２２と直上中間床２４との間に設けられた階段２８の上側の踊り場２８ａは、前記直上中間床２４と天井床１５ｂとの少なくともいずれか一方に段差なしで連続していることを特徴とする建物。
【００１２】
請求項３に記載の発明によれば、直上中間床２４，２４が離間して複数設けられているので、直上階に複数の直上収納空間２５，２５を容易に設けることができる。また、直上中間床２４，２４、天井床１５ｂ、階段２８の上側の踊り場２８ａが段差なしで連続しているので、段差のない広い床を形成でき、よって、その床上に居室等の広い空間を容易に確保できる。
【００１３】
請求項４に記載の発明は、例えば図１７に示すように、請求項１〜３のいずれか一項に記載の建物において、
前記特定床２上には、前記直上床２２の一部を貫通して、前記直上中間床下まで吹き抜ける吹抜け空間４０が設けられていることを特徴とする。
【００１４】
請求項４に記載の建物によれば、直上階２１に直上収納空間２４があっても、吹抜け空間４０によって、特定床２上に天井高の高い空間を容易に確保できる。
【００１５】
請求項５に記載の発明は、請求項３または４に記載の建物において、
前記直上中間床２４，２４と天井床１５ｂと上側の踊り場２８とで構成された床上には、複数の部屋３０，３１が設けられていることを特徴とする。
【００１６】
請求項５に記載の発明によれば、前記床上に複数の部屋３０，３１が設けられているので、該床上を有効利用できる。つまり、直上階２１に複数の直上収納空間２５，２５を設けるために、直上中間床２４，２４を離間して複数設けた場合でも、これら直上中間床２４，２４が、天井床１５ｂや上側の踊り場２８ａによって連続した広い床となるので、この床上に複数の部屋３０，３１を設けて有効利用できる。
【００１７】
請求項６に記載の発明は、請求項２〜５のいずれか一項に記載の建物において、
前記階段２７が設けられている階段室７と、前記収納空間５とが隣接配置されており、前記特定床２上にある部屋（例えば居間３ａ、食堂３ｂ）は、前記階段室７および収納空間５に接するように配置されていることを特徴とする。
【００１８】
請求項６に記載の発明によれば、特定床２上の部屋から収納空間５および階段室７に容易に出入りできる。また、階段室７と収納空間５とが隣接配置されているので、階段下の階段下空間７ａと、収納空間５とを連通させることができ、これによって、階段下の階段下空間７ａを前記収納空間５と連続した収納として有効利用できる。
【００１９】
請求項７に記載の発明は、請求項６に記載の建物において、
前記階段室７と前記収納空間５とは、建物の外壁に接しており、前記特定床２上にある部屋（例えば、台所８、食堂３ｂ、居間３ａ、玄関６）は、前記階段室７と収納空間５を略凹字状に囲むように配置され、
前記直上階２２には、平面視において前記階段室７および中間部屋１５を挟むようにして、前記直上階収納空間２５，２５が配置されていることを特徴とする。
【００２０】
請求項７に記載の発明によれば、特定床２上にある部屋は、階段室７と収納空間５を略凹字状に囲むように配置されているので、前記部屋を階段室７に面する部屋、収納空間５に面する部屋、階段室７および収納空間５の双方に面する部屋等に区画できる、つまり、階段室７や収納空間５を有効利用できるように、部屋を区画できる。
また、直上階２２では、平面視において階段室７および中間部屋１５を挟むようにして、直上階収納空間２５，２５が配置されているので、直上床２２上の部屋を、一方の直上階収納空間２５に面する部屋２３ａと他方の直上階収納空間２５に面する部屋２３ｂとに区画でき、よって、各部屋２３ａ，２３ｂに直上階収納空間２５を確保できる。
【００２１】
請求項８に記載の発明は、請求項１〜７のいずれか一項に記載の建物において、
前記直上中間床２４と天井床１５ｂとの少なくとも一方の床上に、部屋３０，３１が設けられている場合に、
この部屋３０，３１の上部は小屋裏に突出しており、この小屋裏の一部に収納所３４ａ，３４ｂとルーフバルコニー３５のうちの少なくとも一方が設けられていることを特徴とする。
【００２２】
請求項８に記載の発明によれば、直上中間床２４と天井床１５ｂとの少なくとも一方の床上にある部屋３０，３１は、直上床２２上の部屋より床の位置が高く、しかも、上部は小屋裏に突出しているので、小屋裏の一部を収納所３４ａ，３４ｂやルーフバルコニー３５として、容易に利用できる。
【００２３】
請求項９に記載の発明は、請求項１〜８のいずれか一項に記載の建物において、
前記収納空間５５の一部が屋外から物を出し入れ可能な開口部５７ａを有する屋外開口型収納庫５７となっており、この屋外開口型収納庫５７の床５７ｂは前記特定床５２より低くなっていることを特徴とする。
【００２４】
収納空間５５の一部である屋外開口型収納庫５７は、収納空間５５の他部（屋内開口型収納庫５９）と壁５８によって仕切ってもよいし、仕切らなくてもよい。壁５８によって仕切る場合、この壁５８に出入口を設けるのが望ましい。また、屋外開口型収納庫５７は、土間床収納庫として利用してもよいし、自動車を収納する車庫として利用してもよい。
【００２５】
請求項９に記載の発明によれば、収納空間５５の一部が屋外から物を出し入れ可能な開口部５７ａを有する屋外開口型収納庫５７となっているので、敷地が狭い場合でも、屋外から物を出し入れできる収納庫を容易に設けることができる。
また、屋外開口型収納庫５７の床５７ｂは特定床５２より低いので、屋外開口型収納庫５７の天井高を収納空間５５の他部（屋内開口型収納庫５９）より高くできる。したがって、屋外開口型収納庫５７の容積を大きくすることができ、また例えば屋外開口型収納庫５７を車庫とした場合に、自動車等を収納する高さを十分に確保できるとともに、車庫への自動車の出し入れが容易である。
【発明の効果】
【００２６】
本発明によれば、中間床と特定床との間が収納空間とされているので、この収納空間は特定床上から容易に利用できる使い勝手のよいものとなる。そして中間床上に、中間部屋が直上床の一部を貫通して直上階に突出するようにして設けられているので、中間部屋の天井高を十分に確保できるとともに、建物自体の高さが高くなるのを抑えることができる。さらに、直上階の一部には、直上中間床が中間部屋の天井とほぼ高さが等しい位置に設けられ、この直上中間床と前記直上床との間が直上階収納空間とされているので、この直上階収納空間は直上床から容易に利用できる使い勝手のよいものとなる。したがって、建物の高さを極力抑えながら、特定階と直上階に、つまり上下階の双方に使い勝手のよい収納空間を設けることができる。
また、直上階に複数個の直上収納空間を設け、これら直上収納空間上の複数の直上中間床と、中間部屋上の天井床とを連続した段差のない床とすることによって、その床上に設けられる部屋等の設計の自由度を確保し、特定階と合わせて少なくとも３個以上の特殊な収納スペース（収納空間、直上収納空間）を設けながら、建物の高さを極力抑え、かつ、階段を１箇所に集中させることで、現在市街地でも一般的な規模 （床面積９０〜１４０ｍ2くらいの２階建ての住宅と同程度の立体的な大きさ）の建物（住宅）を提供できる。
【発明を実施するための最良の形態】
【００２７】
以下、図面を参照して本発明の建物の実施の形態について説明する。
本実施の形態の建物は、４層の床面を有する２階建ての建物であり、例えば周知のパネル工法によって構築されている。
本実施の形態では、図１〜図５に示すように、１階を特定階１としており、この特定階１を構成する１階の床を特定床２としている。特定階（１階）１には、南側（図１および図２において左側）に居間３ａと食堂３ｂとが東西に隣接配置されている。
居間３ａの北側（図２において右側）には中間床４が設けられている。中間床４は、建物の北側の外壁に沿って特定床２の上側に設けられている。中間床４は図７および図１０に示すように、平面視において矩形状に形成に形成されており、建物の東側に若干寄せて配置されている。この中間床４と特定床２との間は、図２、図６、図１０、図１１および図１３に示すように、収納空間５とされている。この収納空間５の高さは０．９ｍ〜１．４ｍ程度とされている。
【００２８】
また、特定階１には、図６、図１３に示すように、収納空間５を挟んで玄関６と階段室７とが東西に離間して配置されており、階段室７の西側には台所８が配置されている。収納空間５と玄関６とを仕切る仕切壁５ａは、収納空間６側に奥まって設けられており、この仕切壁５ａの前方にある凹所には移動式の収納家具９，１０が設けられている。収納家具９は下駄箱であり、玄関ホールや玄関土間に向けて引き出すことができるようになっている。また、収納家具１０は、例えば来客の上着等を収納する洋服ダンスであり、玄関ホールに向けて引き出すことができるようになっている。なお、収納家具９，１０はその側面側と、側端面側の双方から物を出し入れできるようになっている。
また、収納空間５と居間３ａとを仕切る仕切壁５ｂは収納空間６側に奥まって設けられており、この仕切壁５ｂの前方にある凹所には横移動式の収納家具１１が複数設けられている。この収納家具１１には、複数の棚が上下に所定間隔で設けられており、居間３ａ側に開口している。仕切壁５ｂには開口部が形成されており、前記収納家具１１はこの開口部を開閉するように横方向に仕切壁５ｂに沿って移動可能となっている。そして、この開口部から収納空間５内に出入りできるようになっている。
【００２９】
また、前記階段室７と収納空間５とは隣接配置されており、前記居間３ａは階段室７および収納空間５に接するように配置されている。したがって、特定床２上の居間３ａから収納空間５および階段室７に容易に出入りできる。
また、階段室７と台所８とを仕切る仕切壁８ａには開口部が形成され、この開口部を開閉する扉１２が取り付けられている。したがって、この扉１２を開けることによって、台所８から階段下の階段下空間７ａに出入りできるようになっている。また、前記階段下空間７ａと前記収納空間５とは連通しており、これによって、階段下空間７ａを収納空間５と連続した収納として有効利用できる。また、前記扉１２を開けることによって、台所８から階段下空間７ａを通して収納空間５に出入りできるようになっている。さらに、階段下空間７ａと前記食堂３ｂとを仕切る仕切壁にも開口部とこの開口部を開閉する扉１３が設けられており、この扉１３を開けることによって、食堂３ｂから階段下空間７ａに出入りできるようになっている。
【００３０】
また、前記階段室７と収納空間５とは、図６に示すように、建物の北側の外壁に接しており、特定床２上にある部屋（玄関６、居間３ａ、食堂３ｂ、台所８）は、階段室７と収納空間５を平面視において略凹字状に囲むように配置されている。したがって、このような部屋を階段室７に面する部屋（台所８、食堂３ｂ）、収納空間５に面する部屋（玄関６）、階段室７および収納空間５の双方に面する部屋（居間３ａ）に区画できる、つまり、階段室７や収納空間５を有効利用できるように、部屋を区画できる。
【００３１】
前記中間床４上には、図２、図４、図５、図１０および図１１に示すように、中間部屋１５が特定階１の直上にある直上階２１を構成する直上床２２の一部を貫通して直上階（２階）２１に突出するようにして設けられている。この中間部屋１５は、中間床４の全面上方に設けられており、本実施の形態では、浴室１６と洗面室１７とトイレ１８とによって構成されている。つまり、中間部屋１５は、台所８を除いた水回り系の部屋１５とされている。
また、直上階２１には、図８、図１０、図１１に示すように、南側（図１および図２において左側）に寝室２３ａ，２３ｂが東西に隣接配置されている。寝室２３ａ，２３ｂの北側（図１および図２において右側）には直上中間床２４が設けられている。直上中間床２４は、図１０に示すように、２つあり、これら直上中間床２４，２４は、中間部屋１５の天井１５ａとほぼ高さが等しい位置に設けられている。そして、この直上中間床２４，２４と直上床２２との間がそれぞれ直上階収納空間２５，２５とされている。この直上階収納空間２５の高さは０．９ｍ〜１．４ｍ程度とされている。
【００３２】
また、前記直上階収納空間２５，２５は、図８に示すように、平面視において前記階段室７および中間部屋１５を挟むようにして、東西に離間して配置されている。したがって、直上床２２上の部屋を、一方の直上階収納空間２５に面する寝室２３ａと他方の直上階収納空間２５に面する寝室２３ｂとに区画でき、よって、各寝室２３ａ，２３ｂに直上階収納空間２５，２５を確保できる。また、寝室２３ａと２３ｂとを仕切る仕切壁は、略Ｓ字状に配置されており、これによって、寝室２３ａから利用可能な収納部２６ａと、寝室２３ｂから利用可能な収納部２６ｂとが設けられている。
【００３３】
前記階段室７には、図１、図２等に示すように、階段２７が特定床２と直上床２２との間に設けられている。階段２７は折り返し階段であり、この階段２７の途中にある踊り場２７ａは、中間床４とほぼ等しい高さの位置しており、かつ、該中間床４と隣接している。したがって、中間床４に至る階段を別途設けることなく、この踊り場２７ａから中間部屋１５に容易に出入りできる。
また、階段室７には、階段２８が直上床２２と直上中間床２４との間に設けられている。この階段２８は直階段であり、この階段２８の上側の踊り場２８ａと、前記直上中間床２４と、中間部屋１５の天井の位置に設けられた天井床１５ｂとがほぼ等しい高さに位置している。
【００３４】
また、西側に位置する中間直上床２４上には、図９、図１０、図１１等に示すように、子供部屋３０が設けられており、東側に位置する中間直上床２４および天井床１５ｂ上には、子供部屋３０より大きい子供部屋３１が設けられている。この子供部屋３０，３１には、前記踊り場２８ａから出入りできるようになっている。
子供部屋３０，３１は、直上床２２上の寝室２３ａ，２３ｂより床の位置が高くなっており、上部は小屋裏３３に突出している。
さらに、小屋裏３３の一部には、図１２に示すように、収納所（ロフト）３４ａ，３４ｂとルーフバルコニー３５が設けられている。収納所３４ａは子供部屋３１側に開口した比較的大型のものであり、子供部屋３１から利用できるようになっている。また、収納所３４ｂは子供部屋３０側に開口した小型のものであり、子供部屋３０から利用できるようになっている。
【００３５】
また、前記階段室７には、図１２に示すように、階段３６が前記踊り場２８ａとルーフバルコニー３５との間に設けられており、この階段３６によってルーフバルコニー３５に出入りできるようになっている。ルーフバルコニー３５の床面は前記収納所３４ａ，３４ｂの床面と等しい高さとなっており、屋根の一部に開口を形成することによって、ルーフバルコニー３５の床面に人が直立できるようになっている。また、ルーフバルコニー３５と建物内部とを仕切る壁には、窓３７，３７や扉３８が設けられており、窓３７，３７から子供部屋３０，３１に採光できるようになっている。また、階段３６は扉３８に接続されている。
【００３６】
本実施の形態によれば、中間床４と特定床２との間が収納空間５とされているので、この収納空間５に特定床２から容易に出入りできる、つまり収納空間５の使い勝手がよい。また、収納空間５には、特定床２上の居間３ａから直接出入りでき、また、台所８や食堂３ｂから階段下空間７ａを通して出入りできるので、使い勝手が非常によくなる。
そして中間床４上に、中間部屋１５が直上階２１を構成する直上床２２の一部を貫通して直上階２１に突出するようにして設けられているので、中間床４が特定床１より上方に位置あっても、中間部屋１５の天井高を十分に確保できるとともに、建物自体の高さが高くなるのを抑えることができる。
さらに、直上階２１の一部には、直上中間床２４，２４が中間部屋１５の天井とほぼ高さが等しい位置に設けられ、この直上中間床２４，２４と直上床２１との間が直上階収納空間２５，２５とされているので、この直上階収納空間２５，２５に直上床２１から容易に出入りできる、つまり直上階収納空間２５，２５の使い勝手がよい。
したがって、建物の高さを極力抑えながら、特定階１と直上階２１に、つまり上下階の双方に使い勝手のよい収納空間５や直上階収納空間２５，２５を設けることができる。
【００３７】
また、特定床２と直上床２２との間に設けられた階段２７の途中にある踊り場２７ａが、中間床４とほぼ等しい高さに位置し、かつ、該中間床４と隣接しているので、中間床４に至る階段を別途設けることなく、この踊り場２７ａから中間部屋１５に容易に出入りできる。この中間部屋１５は、浴室１６、洗面室１７、トイレ１８等からなる水回り系の部屋であり、その直下は前記収納空間５であるので、この収納空間５を通して水回り系の部屋（中間部屋１５）へ配管できる。したがって、配管が容易であるとともに、配管用のパイプスペースを別途設ける必要がない。
また、直上中間床２４と天井床１５ｂには、子供部屋３０，３１が小屋裏３３に突出した状態で設けられているので、直上中間床２４および天井床１５ｂが直上床２２より高くても、直上中間床２４および天井床１５ｂを有効利用できる。
【００３８】
さらに、階段室７と収納空間５とが隣接配置されているので、階段下の階段下空間７ａと、収納空間５とを連通させることができ、これによって、階段下空間７ａを収納空間５と連続した収納として有効利用できる。逆からいえば、収納空間５を階段下空間７ａまで拡張でき、収納スペースが広くなる。
また、直上階２１では、平面視において階段室７および中間部屋１５を挟むようにして、直上階収納空間２５，２５が配置されているので、直上床２２上の部屋を、一方の直上階収納空間２５に面する寝室２３ａと他方の直上階収納空間２５に面する寝室句２３ｂとに区画でき、よって、各寝室２３ａ，２３ｂに直上階収納空間２５を確保できる。
また、直上中間床２４と天井床１５との床上にある子供部屋３０，３１は、直上床２２上の寝室２３ａ，２３ｂより床の位置が高く、しかも、上部は小屋裏に突出しているので、小屋裏の一部を収納所３４ａ，３４ｂやルーフバルコニー３５として、容易に利用できる。
【００３９】
なお、本実施の形態では、直上中間床２４と天井床１５ｂの床上に、子供部屋３０，３１を小屋裏に突出するようにして設けたが、子供部屋３０，３１に代えて、小屋裏収納やルーフバルコニーを設けてもよい。この場合、その屋根の高さを直上床２２上にある寝室２３ａ，２３ｂ上にある屋根より低くすることができる。
【００４０】
また、本実施の形態では、図１０等に示すように、直上階２２には、平面視において階段室７および中間部屋１５を挟むようにして、直上階収納空間２５，２５が配置されている、つまり、直上中間床２４，２４が、天井床１５ｂと踊り場２８ａを挟むようにして配置されているが、これに限ることなく、例えば、図１６に示すように、直上階において、二つの直上中間床２４，２４を離間して設け、これら直上中間床２４，２４を、それぞれ中間部屋の天井の位置に設けられた天井床１５ｂと段差なしで連続させ、さらに階段の上側の踊り場２８ａを、直上中間床２４と天井床１５ｂと双方に段差なしで連続させてもよい。
さらに、図１７に示すように、特定床２上に、直上床２２の一部を貫通して、直上中間床下まで吹き抜ける吹抜け空間４０を設けてもよい。このようにすれば、直上階に直上収納空間２５があっても、吹抜け空間４０によって、特定床２上に天井高の高い空間を容易に確保できる。例えば、図１７では、吹抜け空間４０がある特定床２上を玄関とすることによって、開放的な玄関を形成できる。
【００４１】
図１８〜図２０は本発明に係る建物の他の実施の形態を示すもので、図１８は建物の断面図、図１９は建物の１階部分を示す斜視図、図２０は建物の内部を斜め上方から見た斜視図である。
【００４２】
図１８および図１９に示すように、本実施の形態でも、前記第１の実施の形態と同様に、１階を特定階５１としており、この特定階５１を構成する１階の床を特定床５２としている。１階（特定階）５１には中間床５４が特定床５２の上側に設けられている。中間床５４は平面視において矩形状に形成に形成されており、この中間床５４と特定床５２との間は収納空間５５とされている。この収納空間５５の高さは０．９ｍ〜１．４ｍ程度とされている。
【００４３】
前記中間床５４上には、図１８〜図２０に示すように、中間部屋５６が特定階５１の直上にある直上階６１を構成する直上床６２の一部を貫通して直上階（２階）６１に突出するようにして設けられている。この中間部屋５６は、中間床５４の全面上方に設けられている。
また、直上階６１には、直上中間床６４が設けられており、直上中間床６４は、中間部屋５６の天井を構成する天井床５６ａとほぼ高さが等しい位置に設けられている。そして、この直上中間床６４と直上床６２との間が直上階収納空間６５とされている。この直上階収納空間６５の高さは０．９ｍ〜１．４ｍ程度とされている。
【００４４】
また、前記特定床５２と直上床６４との間に設けられた階段７０の途中にある踊り場７０ａは、中間床５４とほぼ等しい高さに位置しているとともに、該中間床５４と隣接している。さらに、直上中間床６４と、中間部屋５６の天井の位置に設けられた天井床５６ａと、直上床６２と直上中間床６３との間に設けられた階段７１の上側の踊り場７１ａとがほぼ等しい高さに位置しており、これらは段差なく連続している。直上中間床６４と天井床５６ａ上には、部屋７２が設けられており、この部屋７２の上部は小屋裏７３に突出している。小屋裏７３は、傾斜屋根７４とこの傾斜屋根の上端部から垂下する壁７５の内側に設けられており、この壁７５には採光用の窓７６が設けられている。
【００４５】
また、前記直上床６２上には、２階の部屋７７が設けられており、この部屋７７は前記直上収納空間６５に面している。そして、この直上収納空間６５には、部屋７７から出入りできるようになっている。部屋７７の上部は傾斜屋根７８によって覆われており、この傾斜屋根７８の上端部は前記壁７５の下端部に接合されている。また、部屋７７にはバルコニー７９が隣接配置されている。
部屋７７を構成する直上床６２の一部には開口が形成されており、この開口によって、特定床（１階床）５１上には、直上中間床６４下まで吹き抜ける吹抜け空間８０が設けられている。この吹抜け空間８０は例えば玄関上の吹抜け空間として利用されている。この吹抜け空間８０上にある直上中間床６４上は、バルコニー８１とされており、前記バルコニー７９より１段高い位置に設けられている。したがって、このバルコニー８１上には、前記傾斜屋根７８はかかっていない。
【００４６】
また、図１８および図１９に示すように、中間床５４と特定床５２との間にある収納空間５５の一部は屋外から物を出し入れ可能な開口部５７ａを有する屋外開口型収納庫５７となっている。すなわち、収納空間５５は、壁５８によって左右に分割されており、その一部（図１９において左側）が屋外開口型収納庫５７となっており、他部（右側）が屋内開口型収納庫５９となっている。壁５８には、図示は省略するが屋外開口型収納庫５７と屋内開口型収納庫５９とを行き来する際に使用される開口部が形成されるとともに、この開口部を開閉するドアが設けられている。また、屋内開口型収納庫５９には、１階の部屋から出入りできるような出入口が設けられている。なお、前記壁５８を設けずに、屋外開口型収納庫５７と屋内開口型収納庫５９とを連通してもよい。
【００４７】
屋外開口型収納庫５７の床５７ｂは屋内開口型収納庫５９の床より１段低くなっている。すなわち、屋内開口型収納庫収納庫５９の床は基礎上に設置された床であるが、屋外開口型収納庫５７の床は基礎の内側に設けられた土間床であり、コンクリート等によって形成されている。また、屋外開口型収納庫５７は建物の外壁に形成された開口部５７ａによって建物の外部と連通しており、この開口部５７ａから物を屋外開口型収納庫５７に出し入れするようになっている。屋外開口型収納庫５７の開口部には、これを開閉する戸が設けられ、さらに、屋外開口型収納庫５７の開口部上には、庇６０が設けられている。この庇６０は中間床５４を屋外に張り出して形成されたものであり、屋外に張り出されている中間床５４上は、バルコニー６０ａとなっている。なお、庇６０を中間床５４で構成せずに、板状のパネルで構成し、その基端部を軸として上下に回動自在に構成し、庇６０を下方に回動させて前記開口部５７ａを塞ぐ戸としてもよい。
また、このような屋外開口型収納庫５７は、土間床収納庫として利用してもよいし、自動車を収納する車庫として利用してもよい。
【００４８】
本実施の形態によれば、中間床５４と特定床５２との間が収納空間５５とされているので、この収納空間５５に特定床５２から容易に出入りできる、つまり収納空間５５の使い勝手がよい。また、収納空間５５には、特定床５２上の部屋から直接出入りでき使い勝手が非常によくなる。
そして中間床５４上に、中間部屋５６が直上階６１を構成する直上床６２の一部を貫通して直上階６１に突出するようにして設けられているので、中間床５４が特定床５１より上方に位置あっても、中間部屋５６の天井高を十分に確保できるとともに、建物自体の高さが高くなるのを抑えることができる。
さらに、直上階６１の一部には、直上中間床６４が中間部屋５６の天井とほぼ高さが等しい位置に設けられ、この直上中間床６４と直上床６１との間が直上階収納空間６５とされているので、この直上階収納空間６５に直上床６１から容易に出入りできる、つまり直上階収納空間６５の使い勝手がよい。
したがって、建物の高さを極力抑えながら、特定階５１と直上階６１に、つまり上下階の双方に使い勝手のよい収納空間５５や直上階収納空間６５を設けることができる。
【００４９】
また、収納空間５５の一部が屋外から物を出し入れ可能な開口部５７ａを有する屋外開口型収納庫５７となっているので、敷地が狭い場合でも、屋外から物を出し入れできる収納庫を容易に設けることができる。
また、屋外開口型収納庫５７の床５７ｂは特定床５２より低いので、屋外開口型収納庫５７の天井高を収納空間５５の他部（屋内開口型収納庫５９）より高くできる。したがって、屋外開口型収納庫５７の容積を大きくすることができ、また例えば屋外開口型収納庫５７を車庫とした場合に、自動車等を収納する高さを十分に確保できるとともに、車庫への自動車の出し入れが容易である。
さらに、屋外開口型収納庫５７と屋内開口型収納庫５９とを仕切る壁５８には開口部が形成されているので、屋外開口型収納庫５７と屋内開口型収納庫５９との間で荷物を出し入れすることができる。
加えて、屋外開口型収納庫５７の開口部５７ａに庇６０を設けたので、屋外開口型収納庫５７を車庫として利用し、自動車の先端部が開口部５７ａからはみ出る場合、つまり、自動車を納める空間として若干不足している場合に、これを補うことができる。
【図面の簡単な説明】
【００５０】
【図１】本発明に係る建物の一例を示すもので、建物の棟方向中央部における縦断面図である。
【図２】同、建物の棟方向中央部より西側に寄った部分における縦断面図である。
【図３】同、図２におけるＡ−Ａ線断面図である。
【図４】同、図２におけるＢ−Ｂ線断面図である。
【図５】同、図２におけるＣ−Ｃ線断面図である。
【図６】同、建物の１階の、中間床より下の平面図である。
【図７】同、建物の１階の、中間床より上の平面図である。
【図８】同、建物の２階の、直上中間床より下の平面図である。
【図９】同、建物の２階の、直上中間床より上の平面図である。
【図１０】同、建物内部を東南方向から見た斜視図である。
【図１１】同、建物内部を南西方向から見た斜視図である。
【図１２】同、建物内部を斜め上方から見た斜視図である。
【図１３】同、建物内部の１階の要部を斜めから見た斜視図である。
【図１４】同、収納家具を示す斜視図である。
【図１５】同、収納家具の他の例を示す斜視図である。
【図１６】本発明に係る建物の他の例を示すもので、建物の２階の、直上中間床より上の平面図である。
【図１７】本発明に係る建物のさらに他の例を示すもので、建物の２階の、直上中間床より下の平面図である。
【図１８】本発明に係る建物の他の実施の形態を示すもので、建物の断面図である。
【図１９】同、建物の１階部分を示す斜視図である。
【図２０】同、建物の内部を斜め上方から見た斜視図である。
【符号の説明】
【００５１】
１，５１  特定階
２，５２  特定床
４，５４  中間床
５，５５  収納空間
７  階段室
７ａ  階段下空間
１５  中間部屋
１５ｂ  天井床
２１，６１  直上階
２２，６２  直上床
２４，６４  直上中間床
２５，６５  直上階収納空間
２７  階段
２７ａ  踊り場
３４ａ，３４ｂ  収納所
３５  ルーフバルコニー
４０，８０吹抜け空間
５７  屋外開口型収納庫
５７ａ  開口部
５７ｂ  床
【図１】
2006037709.tif 000003
【図２】
2006037709.tif 000004
【図３】
2006037709.tif 000005
【図４】
2006037709.tif 000006
【図５】
2006037709.tif 000007
【図６】
2006037709.tif 000008
【図７】
2006037709.tif 000009
【図８】
2006037709.tif 000010
【図９】
2006037709.tif 000011
【図１０】
2006037709.tif 000012
【図１１】
2006037709.tif 000013
【図１２】
2006037709.tif 000014
【図１３】
2006037709.tif 000015
【図１４】
2006037709.tif 000016
【図１５】
2006037709.tif 000017
【図１６】
2006037709.tif 000018
【図１７】
2006037709.tif 000019
【図１８】
2006037709.tif 000020
【図１９】
2006037709.tif 000021
【図２０】
2006037709.tif 000022